(57)【要約】【課題】  収納ボックスの収納スペース及び燃料タンクの容量を拡大する。【解決手段】  ヘッドパイプから後方斜め下方へメインフレーム１２を延ばし、このメインフレーム１２の下部にパワーユニットを取付け、このメインフレーム１２の後部から後方斜め上方へ左右一対のリヤフレーム２１，２２（手前側の符号２１のみ示す。）を延ばし、これらのリヤフレーム２１，２２に燃料タンク２３及び収納ボックス２４を取付けた自動二輪車において、燃料タンク２３の上部に収納ボックス２４を支持する左右一対のボックス取付ブラケット１２６，１２６（手前側の符号１２６のみ示す。）を設けた。【選択図】      図３
2006315503.tif 000002
【特許請求の範囲】
【請求項１】
ヘッドパイプから後方斜め下方へメインフレームを延ばし、このメインフレームの下部にエンジンを取付け、前記メインフレームの後部から後方斜め上方へ左右一対のリヤフレームを延ばし、これらのリヤフレームに燃料タンク及び収納ボックスを取付けた自動二輪車において、
前記燃料タンクの上部に前記収納ボックスを支持する支持手段を設けたことを特徴とする自動二輪車の燃料タンク及び収納ボックスの配置構造。
【請求項２】
前記燃料タンクの給油口をシート前部下方の車体カバー内に設け、この車体カバーに設けたリッドで覆うようにしたことを特徴とする請求項１記載の自動二輪車の燃料タンク及び収納ボックスの配置構造。
【請求項３】
前記シートは、前後着座部一体のタンデムシートで、前記収納ボックスは、前記シートの前部から後部に亘るように長く形成したことを特徴とする請求項２記載の自動二輪車の燃料タンク及び収納ボックスの配置構造。
【請求項４】
前記リヤフレームは、前記メインフレーム接続部の後方を上方に屈曲させた後に後方へ延ばし、前記燃料タンクを前記屈曲部の前後に亘って取付けたことを特徴とする請求項１、請求項２又は請求項３記載の自動二輪車の燃料タンク及び収納ボックスの配置構造。
【請求項５】
前記メインフレームの後端部を下方に窪ませ、燃料タンクのスペースを拡大したことを特徴とする請求項１〜請求項４のいずれか１項記載の自動二輪車の燃料タンク及び収納ボックスの配置構造。
【請求項６】
前記ヘッドパイプ前方にバッテリを配置したことを特徴とする請求項１〜請求項５のいずれか１項記載の自動二輪車の燃料タンク及び収納ボックスの配置構造。
【発明の詳細な説明】
【技術分野】
【０００１】
本発明は、自動二輪車の燃料タンク及び収納ボックスの配置構造の改良に関するものである。
【背景技術】
【０００２】
従来の自動二輪車の燃料タンク及び収納ボックスの配置構造として、車体フレームで収納ボックスを支持し、この収納ボックスの下方に燃料タンクを配置したものが知られている（例えば、特許文献１参照。）。
【特許文献１】特許第３００７０６０号公報
【０００３】
特許文献１の図１及び図４に示される通り、自動二輪車は、ヘッドパイプ３から後方へ左右一対の上側ダウンチューブ１を延ばし、これらの上側ダウンチューブ１の後部に一体にそれぞれ後部チューブ１０を設け、これらの左右の後部チューブ１０に複数の取付ブラケット１５を介して収納ボックス４８の左右の縁を取付け、この収納ボックス４８の上部にシート４を取付け、収納ボックス４８の下方に、車体フレーム部材にブラケット４５を介して取付けた燃料タンク４３を配置したものである。
【発明の開示】
【発明が解決しようとする課題】
【０００４】
収納ボックス４８は、その左右の縁を後部チューブ１０の上部に取付ブラケット１５を介して取付けられ、収納ボックス４８の収納部は左右の後部チューブ１０間に位置するため、収納部の左右の幅が後部チューブ１０間の距離に制約を受け、収納スペースが小さくなる。また、燃料タンク４３も、ブラケット４５が取付けられた傾斜した左右の車体フレーム部材間に位置するため、燃料タンク４３の容量が小さくなる。
【０００５】
本発明の目的は、自動二輪車の燃料タンク及び収納ボックスの配置構造を改良することで、収納ボックスの収納スペース及び燃料タンクの容量を拡大することにある。
【課題を解決するための手段】
【０００６】
請求項１に係る発明は、ヘッドパイプから後方斜め下方へメインフレームを延ばし、このメインフレームの下部にエンジンを取付け、メインフレームの後部から後方斜め上方へ左右一対のリヤフレームを延ばし、これらのリヤフレームに燃料タンク及び収納ボックスを取付けた自動二輪車において、燃料タンクの上部に収納ボックスを支持する支持手段を設けたことを特徴とする。
【０００７】
従来のように、車体フレームで収納ボックスを支持した場合には、収納ボックス全体の幅が左右の車体フレームで制約されて収納ボックスの収納スペースが小さくなるが、本発明では、収納ボックスを、燃料タンクの上部に設けた支持手段で支持することで、収納ボックスの少なくとも一部の幅が車体フレームで制約されない。
【０００８】
請求項２に係る発明は、燃料タンクの給油口をシート前部下方の車体カバー内に設け、この車体カバーに設けたリッドで覆うようにしたことを特徴とする。
燃料タンクの上方に収納ボックス及びシートを配置した車両では、シートを開けて収納ボックス内にある燃料タンクの給油口から給油するものがあるが、本発明の自動二輪車では、車体カバーに設けたリッドを開けて燃料タンクの給油口から給油する。
【０００９】
請求項３に係る発明は、シートを、前後着座部一体のタンデムシートとし、収納ボックスを、シートの前部から後部に亘るように長く形成したことを特徴とする。
収納ボックスを、シートの前部から後方に亘るように長く形成したから、収納スペースが大きくなる。
【００１０】
請求項４に係る発明は、リヤフレームを、メインフレーム接続部の後方を上方に屈曲させた後に後方へ延ばし、燃料タンクを屈曲部の前後に亘って取付けたことを特徴とする。
燃料タンクを屈曲部の前後に亘って取付けることで、燃料タンクで、それぞれのリヤフレームの補強部材を兼ね、更に、燃料タンクが左右のリヤフレームのクロス部材を兼ねることにより、車体フレームの剛性を高める。
また、リヤフレームの屈曲部に隣接する燃料タンクの側壁の上部は、リヤフレームに制約されずに幅を拡大することが可能になる。
【００１１】
請求項５に係る発明は、メインフレームの後端部を下方に窪ませ、燃料タンクのスペースを拡大したことを特徴とする。
メインフレームの後端部を下方に窪ませることで、燃料タンクの底面を下げ、燃料タンクの容量を拡大することが可能になる。
【００１２】
請求項６に係る発明は、ヘッドパイプ前方にバッテリを配置したことを特徴とする。
収納ボックス、あるいは、燃料タンクの近傍にバッテリを配置した車両では、バッテリによって収納ボックスの収納スペース、あるいは、燃料タンクの容量が制約を受けるが、本発明では、バッテリをヘッドパイプ前方に配置することで、収納ボックスのスペース、燃料タンクの容量が制約を受けない。
【発明の効果】
【００１３】
請求項１に係る発明では、燃料タンクの上部に収納ボックスを支持する支持手段を設けたので、燃料タンクの上方を収納ボックスの収納スペースとして利用することができ、且つ従来のように車体フレームで収納ボックスを支持するのに比べて、収納ボックスの車幅方向の寸法が制約され難く、収納ボックスの収納スペースを拡大することができる。
【００１４】
請求項２に係る発明では、燃料タンクの給油口を、車体カバーに設けたリッドで覆うようにしたので、シートを開けなくても燃料タンクに給油でき、自動二輪車の使い勝手を向上させることができる。
【００１５】
請求項３に係る発明では、シートをタンデムシートとし、収納ボックスを、シートの前部から後部に亘るように長く形成したので、収納ボックスの収納スペースを拡大することができ、例えば、長尺の収納物を容易に収納することができる。
【００１６】
請求項４に係る発明では、燃料タンクを左右のリヤフレームの屈曲部の前後に亘って取付けたので、燃料タンクによって左右のリヤフレームをそれぞれ補強することができ、また、燃料タンクは左右のリヤフレーム間に渡したクロス部材を兼ねるため、車体フレームの剛性を向上させることができる。更に、各リヤフレームの屈曲部に対応する燃料タンクの側壁は上部を各リヤフレームよりも車幅方向外側に突出させることができ、燃料タンクの容量を拡大して燃料タンクの容量を容易に確保することができる。
【００１７】
請求項５に係る発明では、メインフレームの後部を下方に窪ませたので、燃料タンクの容量を拡大することができ、給油回数を減らす、あるいは、走行可能距離を伸ばすことができる。
【００１８】
請求項６に係る発明では、バッテリを収納ボックス近傍、あるいは、燃料タンク近傍に配置する車両に比べて、本発明の自動二輪車では、バッテリをヘッドパイプ前方に配置するので、収納ボックス、あるいは、燃料タンクの容量を拡大することができる。
【発明を実施するための最良の形態】
【００１９】
本発明を実施するための最良の形態を添付図に基づいて以下に説明する。なお、図面は符号の向きに見るものとする。
図１は本発明に係る排気装置を備えた自動二輪車の側面図であり、自動二輪車１０は、ヘッドパイプ１１から後方斜め下方に延ばした１本のメインフレーム１２と、このメインフレーム１２の後端部に下方に延びるように取付けた左右一対のピボットプレート１３，１４（手前側の符号１３のみ示す。）とでエンジン１６及び変速機１７からなるパワーユニット１８を支持し、メインフレーム１２の後部から後方斜め上方に延ばした左右一対のリヤフレーム２１，２２（手前側の符号２１のみ示す。）に燃料タンク２３を取付け、この燃料タンク２３とリヤフレーム２１，２２とに収納ボックス２４を取付け、この収納ボックス２４に開閉自在にタンデムシート２６を取付けた車両である。
【００２０】
ヘッドパイプ１１は、下端で前輪２８を支持するフロントフォーク３１を操舵自在に取付けた部材であり、フロントフォーク３１の上部でバーハンドル３２を支持する。
ピボットプレート１３，１４とリヤフレーム２１，２２とは、左右一対のサブフレーム３４，３４（手前側の符号３４のみ示す。）を掛け渡すとともに、同乗者用である左右一対のピリオンステップ３６，３７（手前側の符号３６のみ示す。）をそれぞれ支持する左右一対のステップ支持フレーム４１，４２を取付けたものである。
【００２１】
上記したヘッドパイプ１１、メインフレーム１２、ピボットプレート１３，１４、リヤフレーム２１，２２及びサブフレーム３４，３４は、車体フレーム４５を構成する部材である。
ピボットプレート１３，１４は、後端で後輪４６を支持するスイングアーム４７をスイング自在に取付けた部材である。
【００２２】
エンジン１６は、前部にほぼ水平としたシリンダ部５０を備え、このシリンダ部５０に備えるシリンダヘッド５１に吸気装置５２及び排気装置５３を接続したものである。
吸気装置５２は、メインフレーム１２の前部に取付けたエアクリーナ５５と、このエアクリーナ５５に一端を接続するとともに他端を吸気管５６を介してシリンダヘッド５１に接続したインジェクタ一体型スロットルボディ５７とを備える。
【００２３】
排気装置５３は、シリンダヘッド５１に一端を接続した排気管６１と、この排気管６１の途中に設けた触媒６２と、排気管５１の後端部に接続したマフラ６３とからなり、マフラ６３をパワーユニット１８の後方に配置したものである。
触媒６２は、シリンダ部５０の下方で且つ後に述べるクランクケース６５の前方に出来る空間６４に配置することで、地上高をより大きくしたものである。
【００２４】
パワーユニット１８は、クランクケース６５を備え、このクランクケース６５の下部に取付けられ、両側方に延出する運転者用であるメインステップ６６，６６（手前側の符号６６のみ示す。）を配置し、クランクケース６５の下部後端部で後輪用のブレーキペダル６７及びメインスタンド６８をスイング自在に支持したものである。
【００２５】
ここで、７１はハンドルカバー、７２はフロントカバー、７３はヘッドパイプ１１の前方に配置したバッテリ、７３ａはバッテリ７３を支持するためにヘッドパイプ１１の前部に取付けたバッテリ支持ブラケット、７４は前輪２８の上方及び後方を覆うフロントフェンダ、７６はレッグシールド、７７は燃料タンク２３に設けた給油口２３ｅ（図３参照。７８は給油口を塞ぐキャップである。）から給油するときに開閉するためにレッグシールド７６に設けたロック装置付きの給油リッド、８１はメインフレーム１２に取付けたエンジンハンガ、８２は後輪用車軸８３に取付けたドラムブレーキ装置、８４はドラムブレーキ装置８２の回転防止のためにドラムブレーキ装置８２のブレーキパネル（不図示）とスイングアーム４７とに渡したトルクロッド、８６はスイングアーム４７に設けたリヤクッションブラケット４７ａと一方のリヤフレーム２１側とに渡したリヤクッションユニット、８７は収納ボックス２４の後部下部に取付けた泥除け、８８は後輪４６の上方を覆うリヤフェンダ、９１はグラブレール、９２はテールランプである。
【００２６】
図２は本発明に係る自動二輪車の要部平面図（図中の矢印（ＦＲＯＮＴ）は車両前方を表す。以下同じ。）であり、排気管６１を、エンジン１６のシリンダヘッド５１から下方そして後方へパワーユニット１８の下面に沿って延ばし、パワーユニット１８のクランクケース６５の後端部近傍で排気管６１の後端にマフラ６３を接続し、クランクケース６５の後端部に一体的に左右一対のスタンド支持ボス６５Ｓ，６５Ｓを設け、これらのスタンド支持ボス６５Ｓ，６５Ｓにそれぞれ軸支持穴６５ａ，６５ｂを開け、これらの軸支持穴６５ａ，６５ｂに支軸１０１を通し、この支軸１０１でブレーキペダル６７及びメインスタンド６８をそれぞれスイング自在に支持したことを示す。
【００２７】
排気管６１は、パワーユニット１８の下方を車両前後方向にほぼ直線状に延び、触媒６２は、車両前後方向に延びるとともに平面視でエンジン１６のシリンダ部５０にほぼ重なり、クランクケース６５の左膨出部６５ｃ及び右膨出部６５ｄよりも車両前方に位置する。
【００２８】
マフラ６３は、パワーユニット１８と後輪４６との間に配置した幅広前部６３ａと、この幅広前部６３ａから後方に後輪４６の右側面に沿うように延ばした縦長後部６３ｂとからなるＬ字形状のものである。
【００２９】
幅広前部６３ａは、一方のピボットプレート１３（図１参照）に取付ける左部取付部６３ｃを備え、縦長後部６３ｂは、一方のステップ支持フレーム４２に取付ける右部取付部６３ｄを備える。
トルクロッド８４は、その前端を、スイングアーム４７の左右のアーム部１０３，１０４を連結するクロス部材１０５に取付けたものである。
【００３０】
ここで、１１１はシリンダ部５０にレッグシールド７６を取付ける取付ブラケット、１１２は変速機１７に備えるチェンジペダル、１１３はサイドスタンド、１１４はスイングアーム４７を支持するためにピボットプレート１３，１４（図１参照）に取付けたピボットシャフト、１１６はエンジン始動用のキックペダル、１１７は左右のメインステップ６６，６６を連結するためにクランクケース６５側に取付けたステップバーである。
上記したピボットシャフト１１４では、スイングアーム４７と共に左右のステップ支持フレーム４１，４２をも支持する。
【００３１】
図３は本発明に係る自動二輪車の要部側面図であり、燃料タンク２３は、そのフランジ部２３ａを、左右のリヤフレーム２１，２２（手前側の符号２１のみ示す。）にそれぞれ取付けたタンク取付ブラケット１２１，１２２にボルト１２３及びナット１２４（ナット１２４はタンク取付ブラケット１２１，１２２の下面に固定。）で取付けたものである。なお、１２５は燃料タンク２３内に配置するとともに燃料タンク２３の上壁に取付けた燃料ポンプである。
【００３２】
上記のタンク取付ブラケット１２１，１２２は、リヤフレーム２１，２２の屈曲部２１ｂ，２２ｂ（手前側の符号２１ｂのみ示す。）の前後に取付けた部材であり、燃料タンク２３は、屈曲部２１ｂ、２２ｂの前後に固定したものであるから、燃料タンク２３でリヤフレーム２１，２２の補強材の役目を果たすことができ、リヤフレーム２１，２２のそれぞれの剛性を向上させることができる。また、燃料タンク２３は、左右のリヤフレーム２１，２２に渡したものであるから、車体フレーム４５のクロス部材を兼ねるため、車体フレーム４５の全体の剛性の向上にも大きく貢献することができる。
【００３３】
メインフレーム１２の後端部１２ａは、上下に潰すことで、前部側の高さＨ１に対して高さＨ２に小さくした部分であり、これによって、燃料タンク２３の底面２３ｆの位置を下げ、燃料タンク２３の容量を拡大した。
【００３４】
収納ボックス２４は、底部に左右一対の前部下方突出部２４ａ，２４ａ（手前側の符号２４ａのみ示す。）及び左右一対の後部下方突出部２４ｂ，２４ｂ（手前側の符号２４ｂのみ示す。）を備え、前部下方突出部２４ａ，２４ａを、燃料タンク２３の上面に取付けた左右一対のボックス取付ブラケット１２６，１２６（手前側の符号１２６のみ示す。）にボルト１２８及びナット部材１３１で取付け、後部下方突出部２４ｂ，２４ｂを、リヤフレーム２１，２２にそれぞれ取付けたボックス取付ブラケット１２７にボルト１２８及びナット部材１３１で取付けたものである。
【００３５】
ナット部材１３１は、一端にフランジを備える筒状の部材で、筒の内面にめねじを備え、ボックス取付ブラケット１２６，１２７に開けた挿通穴に下から上へ通し、ボックス取付ブラケット１２６，１２７に溶接にて固定したものである。
【００３６】
収納ボックス２４のボックス取付ブラケット１２６，１２７への取付けは、ナット部材１３１のボックス取付ブラケット１２６，１２７から上方に突出した部分に、収納ボックス２４の前部下方突出部２４ａ，２４ａ及び後部下方突出部２４ｂ，２４ｂに開けた貫通穴を嵌めて位置決めし、収納ボックス２４内からボルト１２８をナット部材１３１のめねじにねじ込むことで行う。
【００３７】
マフラ６３は、排気管６１に接続したロアマフラ半体１３５と、アッパマフラ半体１３６とを上下に合わせて容器状としたものである。
ロアマフラ半体１３５は、その底面が、側面視で、跳ね上げた状態のメインスタンド６８と重なる位置まで下方に膨出した下方膨出部１３５ａを備える。
【００３８】
マフラ６３のピボットプレート１３への取付部である左部取付部６３ｃは、ロアマフラ半体１３５及びアッパマフラ半体１３６に亘って取付けた取付ブラケット１３７と、この取付ブラケット１３７の側面に取付けたナット（不図示）とからなり、ボルト１３８を、一方のピボットプレート１３の下端部に開けたボルト挿通穴（不図示）に通し、前述の図示せぬナットにねじ込むことで、ピボットプレート１３に左部取付部６３ｃを取付ける。
【００３９】
マフラ６３のステップ支持フレーム４２への取付部である右部取付部６３ｄは、アッパマフラ半体１３６に取付けた取付ブラケット１４１と、この取付ブラケット１４１の上部に取付けた筒部材１４２とからなり、一方のステップ支持フレーム４２に設けたブラケット１４４に筒部材１４２をボルト１４６及びナット１４７で取付けることで、ステップ支持フレーム４２に右部取付部６３ｄを取付ける。
【００４０】
ステップ支持フレーム４１，４２は、それぞれ下部をピボットプレート１３，１４（ピボットプレート１４は不図示）にスイングアーム４７と同軸に、ボルト１５１で取付け、上部をリヤフレーム１３，１４に設けたブラケット１５２，１５２（手前側の符号１５２のみ示す。）にそれぞれボルト１５３で取付けたものである。
【００４１】
図４は本発明に係る燃料タンク及び車体フレームを示す平面図であり、燃料タンク２３の上方に膨出させた上方膨出部２３ｃと、この上部膨出部２３ｃの周囲に設けたフランジ部２３ａとの境界線２３ｄ、特に境界線２３ｄの車体左右側の部分を、左右のリヤフレーム２１，２２の内側の輪郭線２１ａ，２２ａよりも車体外側方に配置したことを示す。
【００４２】
即ち、燃料タンク２３の上部膨出部２３ｃと、燃料タンク２３の下方に膨出させた下方膨出部（不図示）とを車幅方向にも膨出させて、燃料タンク２３の容量を拡大したことを示す。なお、図中の２３ｅは給油口である。
【００４３】
このような燃料タンク２３の容量の拡大は、図１及び図３において、リヤフレーム２１，２２の下方に凸状としたほぼＶ字形状の屈曲部２１ｂ、２２ｂ（手前側の符号２１ｂのみ示す。）に燃料タンク２３を配置したことにより可能になる。
【００４４】
即ち、図３において、燃料タンク２３を屈曲部２１ｂ，２２ｂの前後に取付けることにより、フランジ部２３ａの下方で且つリヤフレーム２１，２２の上方に空間１５６，１５７（手前側の符号１５６のみ示す。）が出来て、これらの空間１５６，１６７に燃料タンク２３の側壁を膨出させることができたからである。
【００４５】
図５は本発明に係る収納ボックス、燃料タンク及び車体フレームを示す平面図であり、収納ボックス２４は、バスタブの如く凹状に形成した収納部２４ｄと、この収納部２４ｄの縁を形成した縁部２４ｅと、この縁部２４ｅに連続するとともに収納部２４ｄの後方に設けた平板部２４ｆとからなり、収納部２４ｄの内壁面２４ｇ、特に内壁面２４ｇの車体左右側の部分を、左右のリヤフレーム２１，２２の内側の輪郭線２１ａ，２２ａよりも車体外側方に配置したことを示す。
【００４６】
これにより、収納部２４ｄの幅が広がり、車両前後方向に長い収納ボックス２４の容量を更に拡大することができる。なお、平板部２４ｆは、タンデムシート２６（図１参照）の開閉をロック・アンロックするロック装置の上方を覆うためのものである。
【００４７】
従来の収納ボックスでは、左右のフレーム間に収納ボックスの収納部を設けるため、フレームによって収納容量に制約を受けるが、上記の収納ボックス２４では、図１にも示したように、収納ボックス２４の前半部の側方にはリヤフレーム２１，２２が存在せず、収納ボックス２４を車幅方向に拡大することができる。
【００４８】
図６は図３の６矢視図であり、メインフレーム１２の後端部１２ａを、横幅は変更せずに上面１２ｂを下方に窪ませて高さＨ２に小さくしたことを示す。
これにより、燃料タンク２３の底面２３ｆの位置が下がり、燃料タンク２３の容量が拡大する。
【００４９】
このように、燃料タンク２３の容量を拡大すれば、自動二輪車１０（図１参照）の走行可能距離を伸ばすことができ、また、一方で、燃料タンク２３への給油回数を減らすことができ、自動二輪車１０の使い勝手を向上させることができる。
【００５０】
図７は図３の７−７線断面図であり、左右のリヤフレーム２１，２２よりも上方に、燃料タンク２３の左右の側壁２３ｇ，２３ｈ及び収納ボックス２４の左右の側壁２４ｊ，２４ｋを配置することで、リヤフレーム２１，２２に制約されることなく、側壁２３ｇ，２３ｈ及び側壁２４ｊ，２４ｋを車体外側方へ拡大可能としたことを示す。なお、１６１，１６２は燃料タンク２３を構成するアッパ半体及びロア半体、２３ｊ、２３ｊはフランジ部２３ａから下方に一体に延ばした下向きフランジである。
下向きフランジ２３ｊは、燃料タンク２３の前後取付部に亘って延出しているので、取付部を補強することができる。
【００５１】
以上の図１、図３及び図７で示したように、本発明は第１に、ヘッドパイプ１１から後方斜め下方へメインフレーム１２を延ばし、このメインフレーム１２の下部にエンジン１６を取付け、このメインフレーム１２の後部から後方斜め上方へ左右一対のリヤフレーム２１，２２（手前側の符号２１のみ示す。）を延ばし、これらのリヤフレーム２１，２２に燃料タンク２３及び収納ボックス２４を取付けた自動二輪車１０において、燃料タンク２３の上部に支持手段としてのボックス取付ブラケット１２６，１２６（手前側の符号１２６のみ示す。）を設け、これらのボックス取付ブラケット１２６，１２６で収納ボックス２４を支持したことを特徴とする。
【００５２】
ボックス取付ブラケット１２６，１２６で収納ボックス２４を支持したので、燃料タンク２３の上方を収納ボックス２４の収納スペースとして利用することができ、且つ従来のように車体フレームで収納ボックスを支持するのに比べて、本発明では、収納ボックス２４の車幅方向の寸法が制約され難く、収納ボックス２４の収納スペースを拡大することができる。
【００５３】
本発明は第２に、図１及び図４に示したように、燃料タンク２３の給油口２３ｅをタンデムシート２６の前部下方の車体カバーとしてのレッグシールド７６内に設け、このレッグシールド７６に設けた給油リッド７７で開閉自在に覆うようにしたことを特徴とする。
【００５４】
これにより、例えば、収納ボックス内に燃料タンクの給油口を設けた自動二輪車では、給油時に収納ボックスの上部に設けたシートを開けて給油する必要があるが、本発明の自動二輪車では、タンデムシート２６を開けなくても燃料タンク２３に給油でき、自動二輪車１０の使い勝手を向上させることができる。
【００５５】
本発明は第３に、図１及び図５に示したように、シートを、前後着座部一体のタンデムシート２６とし、収納ボックス２４を、タンデムシート２６の前部から後部に亘るように長く形成したことを特徴とする。
この結果、収納ボックス２４の収納スペースを拡大することができ、例えば、長尺の収納物を容易に収納することができる。
【００５６】
本発明は第４に、図３及び図７に示したように、リヤフレーム２１，２２を、メインフレーム１２への接続部の後方を上方に屈曲させた後に後方へ延ばし、燃料タンク２３をその屈曲部２１ｂ，２２ｂ（手前側の符号２１ｂのみ示す。）の前後に亘って取付けたことを特徴とする。
【００５７】
これにより、燃料タンク２３によってそれぞれのリヤフレーム２１，２２を補強することができ、また、燃料タンク２３は左右のリヤフレーム２１，２２間に渡したクロス部材を兼ねるため、車体フレーム４５の剛性を向上させることができる。更に、リヤフレーム２１，２２の屈曲部２１ｂ，２２ｂに対応する燃料タンク２３の側壁２３ｇ，２３ｈは上部をリヤフレーム２１，２２よりも車幅方向外側に突出させることができ、燃料タンク２３の容量を拡大して容易に容量を確保することができる。
【００５８】
本発明は第５に、図３及び図６に示したように、メインフレーム１２の後端部１２ａを下方に窪ませ、燃料タンクのスペースを拡大したことを特徴とする。
メインフレーム１２の後端部１２ａを下方に窪ませたので、燃料タンク２３の容量を拡大することができ、給油回数を減らす、あるいは、走行可能距離を伸ばすことができ、自動二輪車１０（図１参照）の使い勝手を向上させることができる。
【００５９】
本発明は第６に、図１に示したように、ヘッドパイプ１１の前方にバッテリ７３を配置したことを特徴とする。
バッテリを、収納ボックス近傍、あるいは、燃料タンク近傍に配置する車両では、収納ボックス、燃料タンクの容量に制約を受けるが、本発明では、バッテリ７３を、収納ボックス２４、燃料タンク２３から離れたヘッドパイプ１１の前方に配置するので、収納ボックス２４、あるいは、燃料タンク２３の容量を拡大することができる。
【００６０】
尚、本実施形態では、図３に示したように、燃料タンク２３の後部をリヤフレーム２１，２２に取付けたタンク取付ブラケット１２２で支持し、収納ボックス２４の下部をリヤフレーム２１，２２に取付けたボックス取付ブラケット１２７で支持したが、これに限らず、ブラケット１２２及びブラケット１２７の一方のみで燃料タンク２３と収納ボックス２４との両方を支持してもよい。
【産業上の利用可能性】
【００６１】
本発明の燃料タンク及び収納ボックスの配置構造は、自動二輪車に好適である。
【図面の簡単な説明】
【００６２】
【図１】本発明に係る燃料タンク及び収納ボックスの配置構造を採用した自動二輪車の側面図である。
【図２】本発明に係る自動二輪車の要部平面図である。
【図３】本発明に係る自動二輪車の要部側面図である。
【図４】本発明に係る燃料タンク及び車体フレームを示す平面図である。
【図５】本発明に係る収納ボックス、燃料タンク及び車体フレームを示す平面図である。
【図６】図３の６矢視図である。
【図７】図３の７−７線断面図である。
【符号の説明】
【００６３】
１０…自動二輪車、１１…ヘッドパイプ、１２…メインフレーム、１６…エンジン、２１，２２…リヤフレーム、２１ｂ、２２ｂ…屈曲部、２３…燃料タンク、２３ｅ…給油口、２４…収納ボックス、２６…シート（タンデムシート）、７３…バッテリ、７６…車体カバー（レッグシールド）、７７…リッド（給油リッド）、１２６…支持手段（ボックス取付ブラケット）。
【図１】
2006315503.tif 000003
【図２】
2006315503.tif 000004
【図３】
2006315503.tif 000005
【図４】
2006315503.tif 000006
【図５】
2006315503.tif 000007
【図６】
2006315503.tif 000008
【図７】
2006315503.tif 000009
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
ヘッドパイプから後方斜め下方へメインフレームを延ばし、このメインフレームの下部にパワーユニットを取付け、前記メインフレームの後部から後方斜め上方へ左右一対のリヤフレームを延ばし、これらのリヤフレームに燃料タンク及び収納ボックスを取付けた自動二輪車において、
前記燃料タンクの上部に前記収納ボックスを支持する支持手段を設けたことを特徴とする自動二輪車の燃料タンク及び収納ボックスの配置構造。
【請求項２】
前記燃料タンクの給油口をシート前部下方の車体カバー内に設け、この車体カバーに設けたリッドで覆うようにしたことを特徴とする請求項１記載の自動二輪車の燃料タンク及び収納ボックスの配置構造。
【請求項３】
前記シートは、前後着座部一体のタンデムシートで、前記収納ボックスは、前記シートの前部から後部に亘るように長く形成したことを特徴とする請求項２記載の自動二輪車の燃料タンク及び収納ボックスの配置構造。
【請求項４】
前記ヘッドパイプ前方にバッテリを配置したことを特徴とする請求項１、請求項２又は請求項３記載の自動二輪車の燃料タンク及び収納ボックスの配置構造。
【請求項５】
前記収納ボックスを前記燃料タンクの上部及び燃料タンク後方の前記リヤフレームに取付けたことを特徴とする請求項１記載の自動二輪車の燃料タンク及び収納ボックスの配置構造。
【請求項６】
前記燃料タンクの上部に燃料ポンプを取付け、この燃料ポンプの上方に収納ボックスを設けたことを特徴とする請求項１記載の自動二輪車の燃料タンク及び収納ボックスの配置構造。
【手続補正２】
【補正対象書類名】明細書
【補正対象項目名】０００６
【補正方法】変更
【補正の内容】
【０００６】
請求項１に係る発明は、ヘッドパイプから後方斜め下方へメインフレームを延ばし、このメインフレームの下部にパワーユニットを取付け、メインフレームの後部から後方斜め上方へ左右一対のリヤフレームを延ばし、これらのリヤフレームに燃料タンク及び収納ボックスを取付けた自動二輪車において、燃料タンクの上部に収納ボックスを支持する支持手段を設けたことを特徴とする。
【手続補正３】
【補正対象書類名】明細書
【補正対象項目名】００１０
【補正方法】変更
【補正の内容】
【００１０】
請求項４に係る発明は、ヘッドパイプ前方にバッテリを配置したことを特徴とする。
収納ボックス、あるいは、燃料タンクの近傍にバッテリを配置した車両では、バッテリによって収納ボックスの収納スペース、あるいは、燃料タンクの容量が制約を受けるが、本発明では、バッテリをヘッドパイプ前方に配置することで、収納ボックスのスペース、燃料タンクの容量が制約を受けない。
【手続補正４】
【補正対象書類名】明細書
【補正対象項目名】００１１
【補正方法】変更
【補正の内容】
【００１１】
請求項５に係る発明は、収納ボックスを燃料タンクの上部及び燃料タンク後方のリヤフレームに取付けたことを特徴とする。
収納ボックスを燃料タンクの上部及び燃料タンク後方のリヤフレームに取付けたことで、収納ボックスの少なくとも一部の幅がリヤフレームで制約されない。
【手続補正５】
【補正対象書類名】明細書
【補正対象項目名】００１２
【補正方法】変更
【補正の内容】
【００１２】
請求項６に係る発明は、燃料タンクの上部に燃料ポンプを取付け、この燃料ポンプの上方に収納ボックスを設けたことを特徴とする。
燃料タンクの上部に取付けた燃料ポンプの上方に収納ボックスを設けたことで、収納ボックスの少なくとも一部の幅がリヤフレームで制約されない。
【手続補正６】
【補正対象書類名】明細書
【補正対象項目名】００１６
【補正方法】変更
【補正の内容】
【００１６】
請求項４に係る発明では、バッテリを収納ボックス近傍、あるいは、燃料タンク近傍に配置する車両に比べて、本発明の自動二輪車では、バッテリをヘッドパイプ前方に配置するので、収納ボックス、あるいは、燃料タンクの容量を拡大することができる。
【手続補正７】
【補正対象書類名】明細書
【補正対象項目名】００１７
【補正方法】変更
【補正の内容】
【００１７】
請求項５に係る発明では、収納ボックスを燃料タンクの上部及び燃料タンク後方のリヤフレームに取付けたので、燃料タンクの上方を収納ボックスの収納スペースとして利用することができ、収納ボックスの少なくとも一部の車幅方向の寸法が制約され難く、収納ボックスの収納スペースを拡大することができる。
【手続補正８】
【補正対象書類名】明細書
【補正対象項目名】００１８
【補正方法】変更
【補正の内容】
【００１８】
請求項６に係る発明では、燃料タンクの上部に燃料ポンプを取付け、この燃料ポンプの上方に収納ボックスを設けたので、燃料タンクの上方を収納ボックスの収納スペースとして利用することができ、収納ボックスの少なくとも一部の車幅方向の寸法が制約され難く、収納ボックスの収納スペースを拡大することができる。
【手続補正９】
【補正対象書類名】明細書
【補正対象項目名】００６３
【補正方法】変更
【補正の内容】
【００６３】
１０…自動二輪車、１１…ヘッドパイプ、１２…メインフレーム、１８…パワーユニット、２１，２２…リヤフレーム、２１ｂ、２２ｂ…屈曲部、２３…燃料タンク、２３ｅ…給油口、２４…収納ボックス、２６…シート（タンデムシート）、７３…バッテリ、７６…車体カバー（レッグシールド）、７７…リッド（給油リッド）、１２５…燃料ポンプ、１２６…支持手段（ボックス取付ブラケット）。